【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
仮想カード開設方法であって、
決済システムによって、ユーザによって送信された仮想カード開設要求を受信するステップであって、前記仮想カード開設要求は、前記ユーザのユーザ情報と前記ユーザによって要求された仮想カードのタイプ識別子情報とを含む、ステップと、
前記決済システムによって、前記タイプ識別子情報に従って、前記決済システムから、カードを開設する代行者として活動するためのルールと前記タイプ識別子情報に対応するカード開設条件とを検索するステップであって、前記カードを開設する代行者として活動するためのルールと前記カード開設条件とは、前記タイプ識別子情報に対応するカード発行システムから前記決済システムによって事前に取得されるとともに、前記決済システムに記憶される、ステップと、
前記決済システムによって、前記カード開設条件を満足していれば、前記ユーザ情報と前記カードを開設する代行者として活動するためのルールとに従ってターゲット仮想カードを生成するステップと
を含む、方法。
【請求項２】
前記決済システムによって、前記ターゲット仮想カードのデータ情報を前記決済システムに記憶するステップをさらに含む、請求項1に記載の方法。
【請求項３】
前記決済システムによって、前記カードを開設する代行者として活動するためのルールに従って、前記カード発行システムに、前記決済システムに記憶されている前記ターゲット仮想カードの前記データ情報を非同期送信するステップをさらに含む、請求項2に記載の方法。
【請求項４】
前記決済システムによって、前記カードを開設する代行者として活動するためのルールに従って、前記カード発行システムに、前記決済システムに記憶されている前記ターゲット仮想カードの前記データ情報を非同期送信するステップは、
前記決済システムによって、あるプリセット時間間隔に従って、前記カード発行システムに、前記決済システムに記憶されている前記ターゲット仮想カードの前記データ情報を送信するステップを含む、請求項3に記載の方法。
【請求項５】
前記決済システムによって、前記カードを開設する代行者として活動するためのルールに従って、前記カード発行システムに、前記決済システムに記憶されている前記ターゲット仮想カードの前記データ情報を非同期送信するステップは、
前記決済システムによって、前記決済システムが前記ユーザによって送信されたターゲット仮想カード使用要求を受信した後に、前記カード発行システムに前記決済システムに記憶されている前記ターゲット仮想カードの前記データ情報を送信するステップを含む、請求項3に記載の方法。
【請求項６】
前記決済システムによって、前記ターゲット仮想カードに対してリチャージ動作を行うステップをさらに含む、請求項1に記載の方法。
【請求項７】
仮想カード開設方法であって、
カード発行システムによって、決済システムによって送信されたカードを開設する代行者として活動するための要求を受信するステップと、
前記カード発行システムによって、カード開設条件を満足していれば、前記カードを開設する代行者として活動するためのルールに従ってターゲット仮想カードを前記決済システムが生成するように、カードを開設する代行者として活動するためのルールと前記カード開設条件とを前記決済システムに送信するステップと
を含む、方法。
【請求項８】
前記カード発行システムによって、前記決済システムによって送信された新たに生成されたターゲット仮想カードのデータ情報を受信するステップをさらに含む、請求項7に記載の方法。
【請求項９】
受信ユニットと、検索ユニットと、カード開設ユニットとを含む、決済システムであって、
前記受信ユニットは、ユーザによって送信された仮想カード開設要求を受信するように構成され、前記仮想カード開設要求は、前記ユーザのユーザ情報と前記ユーザによって要求された仮想カードのタイプ識別子情報とを含み、
前記検索ユニットは、前記タイプ識別子情報に従って、前記決済システムから、カードを開設する代行者として活動するためのルールと前記タイプ識別子情報に対応するカード開設条件とを検索するように構成され、前記カードを開設する代行者として活動するためのルールと前記カード開設条件とは、前記タイプ識別子情報に対応するカード発行システムから前記決済システムによって事前に取得されるとともに、前記決済システムに記憶され、
前記カード開設ユニットは、前記カード開設条件を満足していれば、前記ユーザ情報と前記カードを開設する代行者として活動するためのルールとに従ってターゲット仮想カードを生成するように構成される、決済システム。
【請求項１０】
記憶ユニットをさらに含み、
前記記憶ユニットは、前記ターゲット仮想カードのデータ情報を前記決済システムに記憶するように構成される、請求項9に記載の決済システム。
【請求項１１】
非同期送信ユニットをさらに含み、
前記非同期送信ユニットは、前記カードを開設する代行者として活動するためのルールに従って、前記カード発行システムに、前記決済システムに記憶されている前記ターゲット仮想カードの前記データ情報を非同期送信するように構成される、請求項10に記載の決済システム。
【請求項１２】
前記非同期送信ユニットが前記カードを開設する代行者として活動するためのルールに従って、前記カード発行システムに、前記決済システムに記憶されている前記ターゲット仮想カードの前記データ情報を非同期送信するように構成されることは、
あるプリセット時間間隔に従って、前記カード発行システムに、前記決済システムに記憶されている前記ターゲット仮想カードの前記データ情報を送信することを含む、請求項11に記載の決済システム。
【請求項１３】
前記受信ユニットは、前記ユーザによって送信された仮想カード使用要求を受信するように構成され、
前記非同期送信ユニットは、前記決済システムに記憶されている前記ターゲット仮想カードの前記データ情報を前記カード発行システムに送信するように構成される、請求項11に記載の決済システム。
【請求項１４】
リチャージユニットをさらに含み、
前記リチャージユニットは、前記ターゲット仮想カードに対してリチャージ動作を行うように構成される、請求項9に記載の決済システム。
【請求項１５】
メモリとプロセッサとを含む、決済システムであって、
前記メモリは、プログラムを記憶するように構成され、
前記プロセッサは、前記メモリに記憶されている前記プログラムを実行し、特に、
ユーザによって送信された仮想カード開設要求を受信するステップであって、前記仮想カード開設要求は、前記ユーザのユーザ情報と前記ユーザによって要求された仮想カードのタイプ識別子情報とを含む、ステップと、
前記タイプ識別子情報に従って、前記決済システムから、カードを開設する代行者として活動するためのルールと前記タイプ識別子情報に対応するカード開設条件とを検索するステップであって、前記カードを開設する代行者として活動するためのルールと前記カード開設条件とは、前記タイプ識別子情報に対応するカード発行システムから前記決済システムによって事前に取得されるとともに、前記決済システムに記憶される、ステップと、
前記カード開設条件を満足していれば、前記ユーザ情報と前記カードを開設する代行者として活動するためのルールとに従ってターゲット仮想カードを生成するステップと
を含む動作を行うように構成される、決済システム。
【請求項１６】
コンピュータ可読記憶媒体であって、前記コンピュータ可読記憶媒体は、1つまたは複数のプログラムを記憶しており、前記1つまたは複数のプログラムは、複数のアプリケーションプログラムを含む電子デバイスによって実行されると、前記電子デバイスに、
ユーザによって送信された仮想カード開設要求を受信するステップであって、前記仮想カード開設要求は、前記ユーザのユーザ情報と前記ユーザによって要求された仮想カードのタイプ識別子情報とを含む、ステップと、
前記タイプ識別子情報に従って、決済システムから、カードを開設する代行者として活動するためのルールと前記タイプ識別子情報に対応するカード開設条件とを検索するステップであって、前記カードを開設する代行者として活動するためのルールと前記カード開設条件とは、前記タイプ識別子情報に対応するカード発行システムから前記決済システムによって事前に取得されるとともに、前記決済システムに記憶される、ステップと、
前記カード開設条件を満足していれば、前記ユーザ情報と前記カードを開設する代行者として活動するためのルールとに従ってターゲット仮想カードを生成するステップと
を含む動作を行わせる、コンピュータ可読記憶媒体。
【請求項１７】
受信ユニットと送信ユニットとを含む、カード発行システムであって、
前記受信ユニットは、決済システムによって送信されたカードを開設する代行者として活動するための要求を受信するように構成され、
前記送信ユニットは、カード開設条件を満足していれば、前記カードを開設する代行者として活動するためのルールに従ってターゲット仮想カードを前記決済システムが生成するように、カードを開設する代行者として活動するためのルールと前記カード開設条件とを前記決済システムに送信するように構成され、
前記受信ユニットは、前記決済システムによって送信された新たに生成されたターゲット仮想カードのデータ情報を受信するようにさらに構成される、カード発行システム。
【請求項１８】
メモリとプロセッサとを含む、カード発行システムであって、
前記メモリは、プログラムを記憶するように構成され、
前記プロセッサは、前記メモリに記憶されている前記プログラムを実行し、特に、
決済システムによって送信されたカードを開設する代行者として活動するための要求を受信するステップと、
カード開設条件を満足していれば、前記カードを開設する代行者として活動するためのルールに従ってターゲット仮想カードを前記決済システムが生成するように、カードを開設する代行者として活動するためのルールと前記カード開設条件とを前記決済システムに送信するステップと
を含む動作を行うように構成される、カード発行システム。
【請求項１９】
コンピュータ可読記憶媒体であって、前記コンピュータ可読記憶媒体は、1つまたは複数のプログラムを記憶しており、前記1つまたは複数のプログラムは、複数のアプリケーションプログラムを含む電子デバイスによって実行されると、前記電子デバイスに、
決済システムによって送信されたカードを開設する代行者として活動するための要求を受信するステップと、
カード開設条件を満足していれば、前記カードを開設する代行者として活動するためのルールに従ってターゲット仮想カードを前記決済システムが生成するように、カードを開設する代行者として活動するためのルールと前記カード開設条件とを前記決済システムに送信するステップと
を含む動作を行わせる、コンピュータ可読記憶媒体。
【請求項２０】
ユーザエンドと、決済システムと、カード発行システムとを含む、仮想カード開設システムであって、
前記決済システムは、カードを開設する代行者として活動するための要求を前記カード発行システムに送信するように構成され、
前記カード発行システムは、前記カードを開設する代行者として活動するための要求を受信し、カードを開設する代行者として活動するためのルールとカード開設条件とを前記決済システムに送信するように構成され、
前記ユーザエンドは、ユーザによって送信された仮想カード開設要求を受信し、前記仮想カード開設要求を前記決済システムに送信するように構成され、前記仮想カード開設要求は、前記ユーザのユーザ情報と前記ユーザによって要求された仮想カードのタイプ識別子情報とを含み、
前記決済システムは、前記仮想カード開設要求を受信し、前記決済システムからカードを開設する代行者として活動するためのルールと前記タイプ識別子情報に対応するカード開設条件とを検索し、前記カード開設条件を満足していれば、前記ユーザ情報と前記カードを開設する代行者として活動するためのルールとに従ってターゲット仮想カードを生成するように構成される、仮想カード開設システム。